(57)【要約】【課題】雄面ファスナー機能性布帛１４と雌面ファスナー機能性布帛２４を重ね合わせて着脱自在に接合して構成された感触の柔らかい内装材を得る。【解決手段】熱溶融性繊維１８が露出している基布１９の表面を加熱し、基布の表面の垂直方向に傾斜した突起１０が突出している溶融塊１１を形成して雄面ファスナー機能性布帛１４とする。雌面ファスナー機能性布帛２４には、雄面ファスナー機能性布帛の溶融塊から突出している突起の突出長よりも外径が短い細手繊維２１が表面に露出している布帛を使用する。突起の突出長は３００μｍ以上にする。雄面ファスナー機能性布帛の雄形フックの機能を発揮する突起１０が、在来の面ファスナーの鈎形フックやキノコ型フックのように基布の垂直方向に突出していないので押し潰されることがなく、感触の柔らかい内装材が得られる。【選択図】図８
2015212490.tif 000002
【特許請求の範囲】
【請求項１】
雄面ファスナー機能性布帛１４と雌面ファスナー機能性布帛２４を重ね合わせて着脱自在に接合して構成され、雄面ファスナー機能性布帛１４が表面に熱溶融性繊維１８が露出している基布１９によって構成されており、その雄面ファスナー機能性布帛１４の表面に露出している複数本の熱溶融性繊維１８が加熱されて溶融塊１１を形成しており、その溶融塊１１を介して表面に露出している複数本の熱溶融性繊維１８が連結されており、その連結された複数本の熱溶融性繊維１８を介して溶融塊１１が基布１９の内部に係止されており、その溶融塊１１から基布１９の表面の垂直方向に交叉する傾斜方向に向けて突起１０が突出しており、雄面ファスナー機能性布帛１４の基布１９の表面の垂直方向に交叉する傾斜方向に溶融塊１１から突出している突起１０の突出長Ｌよりも外径ｄが短い細手繊維２１が雌面ファスナー機能性布帛２４の表面に露出しており、その雌面ファスナー機能性布帛２４の表面に露出している細手繊維２１の露出部分の両端が雌面ファスナー機能性布帛２４の内部に潜み込んで係止されている内装材。
【請求項２】
雄面ファスナー機能性布帛１４の基布１９の表面に露出している熱溶融性繊維１８の単繊維繊度が５０ｄｔｅｘ以下であり、雌面ファスナー機能性布帛２４の表面に露出している細手繊維２１の単繊維繊度が雄面ファスナー機能性布帛の基布１９の表面に露出している熱溶融性繊維１８の単繊維繊度の１０分の１以下である請求項１の内装材。
【請求項３】
着脱自在に接合される雄面ファスナー機能性布帛１４と雌面ファスナー機能性布帛２４との接合面の外側になる雄面ファスナー機能性布帛１４の外面と雌面ファスナー機能性布帛２４の外面との何れかの外面に、化粧層３４が積層されている請求項１と２の何れかの内装材。
【請求項４】
着脱自在に接合される雄面ファスナー機能性布帛１４と雌面ファスナー機能性布帛２４との接合面の外側になる雄面ファスナー機能性布帛１４の外面と雌面ファスナー機能性布帛２４の外面との何れかの外面に、裏材３３が積層されている請求項１と２の何れかの内装材。
【請求項５】
雄面ファスナー機能性布帛１４が表裏両面に熱溶融性繊維１８が露出している基布１９によって構成されており、その雄面ファスナー機能性布帛１４の表裏両面に露出している複数本の熱溶融性繊維１８が加熱されて溶融塊１１を形成しており、その溶融塊１１を介して表裏両面にそれぞれ露出している複数本の熱溶融性繊維１８がそれぞれ連結されており、そのそれぞれ連結された複数本の熱溶融性繊維１８を介して表裏両面の溶融塊１１が基布１９の内部にそれぞれ係止されており、その表裏両面それぞれの溶融塊１１から基布１９の表面の垂直方向に交叉する傾斜方向に向けて突起１０がそれぞれ突出している請求項１の内装材。
【発明の詳細な説明】
【技術分野】
【０００１】
本発明は、組合せカーペットやタイルカーペット（特許文献１，２）、天井張地と天井下地から成る天井装飾、壁張地と壁面下地から成る壁面装飾、基材の外面を化粧張地で被覆して成る建具、椅子その他の屋内装置品等の二つの面材によって着脱自在に構成された内装材の面接合構造に関するものである。
【０００２】
パズルピースと台座から成るジクソーパズル、貼付ピースと台座から成る貼り絵セット、切り絵ピースと台座から成る切り絵セット、影絵ピースと台座から成る影絵セット等の組合せ玩具や学習教材では、パズルピースや貼付ピース、切り絵ピース、影絵ピース等の画素ピースのサイズが細かいことから画素ピースを台座に着脱自在に面接合して構成されることが多い。しかし、椅子張地、天井張地、壁張地、ドア化粧張地、組合せカーペットやタイルカーペット等の内装材では、サイズが大きいことから、それらを内装下地に着脱自在に確り接合するためには格別な接合資材が必要になる。そのサイズの大きい二つの面材の着脱自在に確り接合するための接合資材として両面粘着テープと面ファスナーが汎用されている。両面粘着テープでは、剥離した際に粘着成分が糊残りとなって内装下地面を汚染する虞がある。特に長期にわたって粘着施工された内装材では内装下地面や内装材の可塑剤成分が滲み込んで粘着テープの粘度が低下し、剥離した際は糊残りが起き易い。
【背景技術】
【０００３】
面ファスナーは、ループパイルや不織布等の単繊維繊度３０ｄｔｅｘ以下の細手繊維によって表面が構成された雌面ファスナー機能性布帛と、その細手繊維に係合するフック要素が表面に突出した雄面ファスナー機能性布帛とによって構成されている。雄面ファスナー機能性布帛には、雌面ファスナーに係合するフック要素がＪ字状を成す鈎形フックと繊維溶融塊によって形成されたキノコ型フックがある。鈎形フックはループパイルの先端を切開してつくられ（特許文献３，４）、キノコ形フックは浸漬したパイル布帛の水面に突き出たカットパイルの先端を加熱溶融してつくられている（特許文献５，６，７，８，９）。パイル繊維の先端を加熱溶融してつくられるキノコ型フックの外径は、カットパイル繊維の外径の２〜４倍になっている。パイル布帛を使用しない雄面ファスナー機能性布帛の製法として、パイプカット片を基布に植設する方法（特許文献１０）や射出成形した鈎形フックを基布に植設する方法（特許文献１１）もある。ニードルパンチ不織布の表面に直炎を当てて繊維の先端にキノコ型フックと同様に溶融塊を形成することは公知であり（特許文献１２）、ニードルパンチ不織布をガス毛焼き機に通して毛羽焼きによる溶融樹脂皮膜を形成することも公知である（特許文献１３）。雄形フックには単繊維繊度が７０〜１０００ｄ（デニール）の繊維が使用されている（特許文献２）。
【０００４】
レーザー光線を照射してパイル繊維を加熱溶融してパイル面に図柄を描出することは公知であり、レーザー光線を発振する発振器と、発振器から出射されるレーザー光線を集光して布帛の表面に当てる照射レンズと、発振器から出射されるレーザー光線を照射レンズに導く反射板と、布帛の表面に照射されるビームスポットを移動するスポット部位移動手段と、発振器からビームスポットまでのレーザー光線の光路の距離を演算する光路演算手段と、レーザー光線のビーム径を調整するビーム径調整手段と、光路に応じて照射レンズの焦点を調整する焦点調整手段によってレーザー光線照射装置を構成し、照射レンズから布帛の表面までの距離が変化しても、ビームスポット径を一定に保つためにレーザー光線のビーム径や照射レンズの焦点を調整する調整手段は公知である（例えば、特許文献１４参照）。
【先行技術文献】
【特許文献】
【０００５】
【特許文献１】実開昭６０−１８０５７８号公報
【特許文献２】実開昭６２−０７３７７７号公報（実公平０３−１７７２９）
【特許文献３】特開昭５６−４５６０２号公報（特公昭５６−４５６０２）
【特許文献４】実開平０４−６９０８号公報（実用新案登録第２５００９０４号）
【特許文献５】特開昭４８−３２０４５号公報（特公昭５３−２２５０１）
【特許文献６】特開昭４９−２２２２６号公報（特公昭５２−４４２５４）
【特許文献７】特開昭４９−９５７４２号公報（特公昭５４−３８５４１）
【特許文献８】特開昭４９−９６８３８号公報（特公昭５４−３８５４２）
【特許文献９】実開昭４９−２３１０２号公報（実公昭５２−５６０８１）
【特許文献１０】特公昭４７−２９０３１号公報（特公昭５２−４８８５６）
【特許文献１１】特開２００１−１４９１１８号公報
【特許文献１２】実開昭５８−８００８０号公報（実公昭６０−２４２３６）
【特許文献１３】特開２０１１−４９２６号公報（特許第５２１３１８２号）
【特許文献１４】特開２００７−２２２９０２号公報
【発明の概要】
【発明が解決しようとする課題】
【０００６】
ループパイルの先端を切開して鈎形フックをつくる場合には、そのループパイルの輪奈は、刃物を差し込むことが出来る程度に大きく、又、差し込む刃物に押し倒されない程度に剛直でなければならず、単繊維繊度が１０ｄｔｅｘ以下の軟弱な細手のモノフイラメントによって鈎形フックをつくることは困難である。
【０００７】
キノコ形フックの場合は、鈎形フックの場合のようにループパイルを切開するための刃物を必要とせず、ループパイルの輪奈の中に刃物を差し込む手間もかからず、カットパイルの先端を加熱するだけで済むが、先端に溶融塊を形成するために浸漬したカットパイルの先端を水面から突き出す際に水の表面張力によって引き倒されない程度に太く剛直なモノフイラメントをカットパイルに使用しなければならず、単繊維繊度が１０ｄｔｅｘ以下の軟弱な細手のモノフイラメントによってキノコ形フックをつくることも困難である。
【０００８】
キノコ形フックに関しては、ニードルパンチ不織布の表面に直炎を当ててキノコ形フックを形成することも提案されているが（特許文献５）、実際には直炎を当てたニーバルパンチ不織布の表面の繊維毛羽は溶融樹脂皮膜となり易く（特許文献６）、理想通りキノコ形フックを形成することは困難である。
【０００９】
パイプカット片や射出成形鈎形フックを基布に植設する方法では（特許文献３，４）縦横各３ｍｍの矩形篩目を通過し得る程度に微細な雄形フックは得られない。
【００１０】
本発明は、熱可塑性合成繊維布帛の表面が加熱されて溶融塊を形成するとき、その溶融塊の周囲に布帛の垂直方向に交叉する方向に溶融物が食み出た無数の突起が発生し、溶融塊はその無数の突起に縁取られた複雑な形状になるが、その微細な突起の突出長よりも細い細手繊維がその突起に触れると絡合し、その突起と細手繊維が着脱自在に係合し、その突起と細手繊維の間に作用する係合力は、細手繊維の繊度が細かくなるにつれて強まる、との知見を得て完成された。
【課題を解決するための手段】
【００１１】
従って本発明に係る内装材は、（ａ）  雄面ファスナー機能性布帛１４と雌面ファスナー機能性布帛２４を重ね合わせて着脱自在に接合して構成され、（ｂ）  雄面ファスナー機能性布帛１４が表面に熱溶融性繊維１８が露出している基布１９によって構成されており、（ｃ）  その雄面ファスナー機能性布帛１４の表面に露出している複数本の熱溶融性繊維１８が加熱されて溶融塊１１を形成しており、（ｄ）  その溶融塊１１を介して表面に露出している複数本の熱溶融性繊維１８が連結されており、（ｅ）  その連結された複数本の熱溶融性繊維１８を介して溶融塊１１が基布１９の内部に係止されており、（ｆ）  その溶融塊１１から基布１９の表面の垂直方向に交叉する傾斜方向に向けて突起１０が突出しており、（ｇ）  雄面ファスナー機能性布帛１４の基布１９の表面の垂直方向に交叉する傾斜方向に溶融塊１１から突出している突起１０の突出長Ｌよりも外径ｄが短い細手繊維２１が雌面ファスナー機能性布帛２４の表面に露出しており、（ｈ）  その雌面ファスナー機能性布帛２４の表面に露出している細手繊維２１の露出部分の両端が雌面ファスナー機能性布帛２４の内部に潜み込んで係止されていることを第１の特徴とする。
【００１２】
本発明に係る内装材の第２の特徴は、上記第１の特徴に加えて、（ｉ）  雄面ファスナー機能性布帛１４の基布１９の表面に露出している熱溶融性繊維１８の単繊維繊度が５０ｄｔｅｘ以下であり、（ｊ）  雌面ファスナー機能性布帛２４の表面に露出している細手繊維２１の単繊維繊度が雄面ファスナー機能性布帛の基布１９の表面に露出している熱溶融性繊維１８の単繊維繊度の１０分の１以下である点にある。
【００１３】
本発明に係る内装材の第３の特徴は、上記第１と第２の何れかの特徴に加えて、着脱自在に接合される雄面ファスナー機能性布帛１４と雌面ファスナー機能性布帛２４との接合面の外側になる雄面ファスナー機能性布帛１４の外面と雌面ファスナー機能性布帛２４の外面との何れかの外面に、化粧層３４が積層されている点にある。
【００１４】
本発明に係る内装材の第４の特徴は、上記第１と第２の何れかの特徴に加えて、着脱自在に接合される雄面ファスナー機能性布帛１４と雌面ファスナー機能性布帛２４との接合面の外側になる雄面ファスナー機能性布帛１４の外面と雌面ファスナー機能性布帛２４の外面との何れかの外面に、裏材３３が積層されている点にある。
【００１５】
本発明に係る内装材の第５の特徴は、上記第１の特徴に加えて、（ｐ）  雄面ファスナー機能性布帛１４が表裏両面に熱溶融性繊維１８が露出している基布１９によって構成されており、（ｑ）  その雄面ファスナー機能性布帛１４の表裏両面に露出している複数本の熱溶融性繊維１８が加熱されて溶融塊１１を形成しており、（ｒ）  その溶融塊１１を介して表裏両面にそれぞれ露出している複数本の熱溶融性繊維１８がそれぞれ連結されており、（ｓ）  そのそれぞれ連結された複数本の熱溶融性繊維１８を介して表裏両面の溶融塊１１が基布１９の内部にそれぞれ係止されており、（ｔ）  その表裏両面それぞれの溶融塊１１から基布１９の表面の垂直方向に交叉する傾斜方向に向けて突起１０がそれぞれ突出している点にある。
【発明の効果】
【００１６】
雄面ファスナー機能性布帛１４の表面に熱溶融性繊維１８が加熱されて形成する溶融塊１１の周囲は、熱溶融して破断した無数の熱溶融性繊維１８に囲まれており、その熱溶融した無数の熱溶融性繊維１８の破断口が基布１９の表面の垂直方向に交叉する傾斜方向に連なって突起１０を形成しており、その突起１０の突出長Ｌよりも外径ｄが短い細手繊維２１は、その突起１０に着脱自在に接合する。
【００１７】
従って、雄面ファスナー機能性布帛１４と雌面ファスナー機能性布帛２４との何れか一方を下地材３１として内装下地１８に接着施工すれば、その雄面ファスナー機能性布帛１４と雌面ファスナー機能性布帛２４との何れか他方は化粧材３２として下地材３１を介して内装下地１８に着脱自在に施工可能となり、時季に応じて化粧材３２を簡便に張り替えて時季に応じた美観を鑑賞することが可能となる。
【００１８】
従って本発明によると、椅子や座椅子の背凭れマット３２ａや座面マット３２ｂ（図３）、車両床カーペット３２ｃや足元マット３２ｄ（図４）、ダストコントロールマット３２ｅ（図５）、タイルカーペット３２ｆ（図６）、天井張地３２ｇ、壁張地３２ｈ、表装地３２ｉ（図７）として好適な内装材が得られる。
【００１９】
本発明において着脱自在に接合して面ファスナー機能を発揮する溶融塊１１と細手繊維２１は、何れも在来の面ファスナーの鈎形フックやキノコ型フックのように基布の表面の垂直方向に突き出た単繊維繊度７０〜１０００ｄ（デニール）の剛直な太手繊維によって形成されたものではなく、通常の織物１９  （図８）や編物１９  （図９）、不織布１９  （図１０）、ループパイル布帛１９  （図１１）、タフテッドパイル布帛１９  （図１２）等の単繊維繊度が５０ｄｔｅｘ以下の熱溶融して連なった無数の熱溶融性繊維１８の破断口によって構成されており、感触の柔らかい内装材が得られる。
【００２０】
本発明では、垂直に突き出た剛直な太手繊維によって溶融塊１１を形成すべき理由はなく、雄面ファスナー機能を発揮する突起１０が基布１０の表面に露出し熱溶融して連なった無数の熱溶融性繊維１８の破断口によって構成され、加熱されて発生する溶融塊１１も基布１０の表面に沿った平板なものとなる。そして、平板な溶融塊１１は、在来の面ファスナーの鈎形フックやキノコ型フックのように押し倒されるようなことはなく、常に基布１０の表面に沿った平板な状態に保たれ、基布１０の内部に奥深く続く多数の繊維に係止されているので、雄面ファスナー機能性布帛１４は耐久性に優れたものとなる。
【００２１】
基布１０が隣り合うバックステッチ２０ａ・２０ｂがシフトして交叉したタフテッドパイル布帛１９ｅであり、そのバックステッチ面を加熱して溶融塊１１を発生させた雄面ファスナー機能性布帛１４では、その隣り合うバックステッチ２０ａ・２０ｂが溶融塊１１して融着固定されているので、パイルが安定していて抜け難く、裏打ち用接着剤をバックステッチ面に裏打ち塗布することなくカーペットとして使用することが出来る。
【００２２】
そして、雄面ファスナー機能性布帛１４の表裏両面に溶融塊１１を形成した内装材では、その表裏に雌面ファスナー機能性布帛２４を重ね合わせ、更に、その表裏の雌面ファスナー機能性布帛２４に雄面ファスナー機能性布帛１４を重ね合わせ、雄面ファスナー機能性布帛１４と雌面ファスナー機能性布帛２４を幾重にも重ね合わせることが出来、その幾重にも重なった多層積層体の片面の雄面ファスナー機能性布帛１４と雌面ファスナー機能性布帛２４を施工下地に接着固定するときは、その多層積層体の表面の雄面ファスナー機能性布帛１４と雌面ファスナー機能性布帛２４の何れかが汚染した場合、その表面の布帛１４・２４を剥離して多層積層体の表面を常にクリーンに保つことが出来る。
【００２３】
そのように雄面ファスナー機能性布帛１４の表裏両面に溶融塊１１を形成し、その表裏に雌面ファスナー機能性布帛２４を重ね合わせ、その表裏の雌面ファスナー機能性布帛２４に更に雄面ファスナー機能性布帛１４を重ね合わせて多層積層体を形成する場合、その雄面ファスナー機能性布帛１４と雌面ファスナー機能性布帛２４の何れか一方または双方に芳香剤や消臭剤、抗菌剤、害虫忌避剤等の機能性資材を担持させ、その有効期間の過ぎた表面の雄面ファスナー機能性布帛１４と雌面ファスナー機能性布帛２４の何れかを剥離して多層積層体の機能を維持することも可能となる。
【図面の簡単な説明】
【００２４】
【図１】本発明に係る内装材の断面側面図である。
【図２】本発明に係る雄面ファスナー機能性布帛の断面斜視図である。
【図３】本発明に係る内装材の使用状態での斜視図である。
【図４】本発明に係る内装材の使用状態での斜視図である。
【図５】本発明に係る内装材の使用状態での斜視図である。
【図６】本発明に係る内装材の使用状態での斜視図である。
【図７】本発明に係る内装材の使用状態での斜視図である。
【図８】本発明に係る雄面ファスナー機能性布帛の斜視図である。
【図９】本発明に係る雄面ファスナー機能性布帛の斜視図である。
【図１０】本発明に係る雄面ファスナー機能性布帛の斜視図である。
【図１１】本発明に係る雄面ファスナー機能性布帛の斜視図である。
【図１２】本発明に係る雄面ファスナー機能性布帛の斜視図である。
【発明を実施するための形態】
【００２５】
雄面ファスナー機能性布帛の表面の熱溶融性繊維１８にはポリプロピレン繊維、ポリエチレン繊維、ポリエステル繊維、ナイロン等の熱可塑性合成繊維が使用される。
雄面ファスナー機能性布帛１４には熱溶融性繊維１８の他に非熱溶融性のレーヨン、アセテート繊維等のセルロース系化学繊維、綿繊維、ケナフ繊維、麻繊維等の植物性繊維、羊毛繊維、絹繊維等の動物性繊維、炭素繊維、ガラス繊維、金属繊維等の無機繊維を混用することが出来る。雌面ファスナー機能性布帛の表面の細手繊維２１は、ポリプロピレン繊維、ポリエチレン繊維、ポリエステル繊維、ナイロン等の熱可塑性合成繊維の他にレーヨン、アセテート繊維等の非熱溶融性化学繊維および絹繊維を使用することが出来る。
【００２６】
雄面ファスナー機能性布帛１４を内装材の化粧材３２に使用する場合は、その基布１９としてカットパイル布帛を使用し、その裏面のバックステッチ面（２０）を加熱して溶融塊１１をバックステッチ面（２０）に発生させてもよい。
【００２７】
雄面ファスナー機能性布帛１４を内装材の化粧材３２に使用する場合、雌面ファスナー機能性布帛２４にはループパイル布帛を下地材３１に使用し、そのバックステッチ面（２０）を内装下地面１３に向け、そのパイル面を溶融塊１１の分布する化粧材３２の裏面に向けて施工する。そうすると雄面ファスナー機能性布帛１４が重ね合わされず、下地材３１である雌面ファスナー機能性布帛２４が施工面に露出した状態になっていても、施工面の美観が損なわれることがない。
従って、裏面に溶融塊１１を設けた雄面ファスナー機能性布帛１４を足元マット３２ｄやダストコントロールマット３２ｅのように化粧材３２に使用する場合（図４、図５、図６）、雌面ファスナー機能性布帛２４にはループパイル布帛を下地材３１に使用し、そのバックステッチ面（２０）を内装下地面１３に向けて施工することが望ましい。
【００２８】
そのように裏面に溶融塊１１を設けた雄面ファスナー機能性布帛１４を化粧材３２に使用する場合、その裏面に設けた溶融塊１１によって施工面の美観や風合いが損なわれないので、雄面ファスナー機能性布帛の基布１９にはカットパイル布帛を使用し、そのカットパイルを加熱して溶融塊１１を形成することも出来る。
【００２９】
雄面ファスナー機能性布帛の表面の熱溶融性繊維１８は、レーザー光線を照射して加熱し溶融するとよい。雄面ファスナー機能性布帛の表面にはレーザー光線を走査して溶融塊１１を模様状に発生させてもよいし、無模様の斑点状に発生させてもよい。
しかし、細手繊維２１の絡合する突起１０は溶融塊１１の周縁に発生し易いので、その突起１０を緻密に発生させるためには、レーザー光線のビームスポットの移動速度やレーザー光線のビーム径を加減して溶融塊１１の外径５ｍｍ以内の円や幅３ｍｍ以内の帯線の内部に納まる大きさにすることが望ましい。
【００３０】
雄面ファスナー機能性布帛１４の表面の溶融塊１１の突起１０の突出長Ｌ（μｍ）が、雄面ファスナー機能性布帛１４の基布１９の表面に露出している熱溶融性繊維１８の単繊維繊度Ｎ（ｄｔｅｘ）と熱溶融性繊維１８の比重ρとの間の関係式『Ｄ（μｍ）＝１１．２８×（Ｎ÷ρ）１／２』によって算定される熱溶融性繊維１８の外径Ｄ（μｍ）の３倍以上になる概して２５０μｍ以上（Ｌ＞２５０μｍ）にすることが望ましい。
【００３１】
補足説明すると、雄面ファスナー機能性布帛１４の表面の溶融塊１１の突起１０の突出長Ｌ（μｍ）は、雌面ファスナー機能性布帛２４の表面に露出している細手繊維２１の比重εと細手繊維２１の単繊維繊度ｎ（ｄｔｅｘ）との間の関係式『ｄ（μｍ）＝１１．２８×（ｎ÷ε）１／２』によって算定される細手繊維の外径ｄ（μｍ）の１０倍以上になる概して３００μｍ以上に、好ましくは３００μｍ以上１０００μｍ以下（１．０ｍｍ＞Ｌ＞０．３ｍｍ）にする。
【産業上の利用可能性】
【００３２】
単繊維繊度が０．５ｄｔｅｘ以下の極細細手繊維２１によって構成される目付けが１００ｇ／ｍ2 未満の薄手の布帛は、ワイピングクロスとして市販されている。その市販のワイピングクロスは、雌面ファスナー機能性布帛２４に使用し得る。そのワイピングクロスを雄面ファスナー機能性布帛１４の溶融塊１１が突出している表面に重ね合わせると、皺がよらず、形状安定に保たれる。従って本発明に係る雄面ファスナー機能性布帛１４は、ワイピングクロスの形状を安定に支える保管ケースとしても実用的である。
【符号の説明】
【００３３】
Ｌ  ：突出長
ｄ  ：細手繊維外径
１０：突起
１１：溶融塊
１３：内装下地
１４：雄面ファスナー機能性布帛
１８：熱溶融性繊維
１９：基布
１９ａ：織物
１９ｂ：編物
１９ｃ：不織布
１９ｄ：ループパイル布帛
１９ｅ：タフテッドパイル布帛
２０ａ：バックステッチ
２０ｂ：バックステッチ
２１：細手繊維
２４：雌面ファスナー機能性布帛
３１：下地材
３２：化粧材
３２ａ：織物背凭れマット
３２ｂ：座面マット
３２ｃ：車両床カーペット
３２ｄ：足元マット
３２ｅ：ダストコントロールマット
３２ｆ：タイルカーペット
３２ｇ：天井張地
３２ｈ：壁張地
３２ｉ：表装地
３３：裏材
３４：化粧層
【図１】
2015212490.tif 000003
【図２】
2015212490.tif 000004
【図３】
2015212490.tif 000005
【図４】
2015212490.tif 000006
【図５】
2015212490.tif 000007
【図６】
2015212490.tif 000008
【図７】
2015212490.tif 000009
【図８】
2015212490.tif 000010
【図９】
2015212490.tif 000011
【図１０】
2015212490.tif 000012
【図１１】
2015212490.tif 000013
【図１２】
2015212490.tif 000014